(57)【特許請求の範囲】
【請求項１】
運用系交換機又は待機系交換機として使用する複数の構内電話交換機を具備し、前記運用系交換機に障害が発生した場合、前記待機系交換機側に切り替える構内電話交換機システムにおいて、
複数の構内電話交換機は、前記運用系交換機の複数のライン回路やトランク回路毎の状態情報を前記待機系交換機に常時送信する共通線インターフェース回路を介して接続されており、前記待機系交換機として使用時に、前記共通線インターフェース回路を介して前記運用系交換機の状態情報を受信する状態情報受信手段と、前記運用系交換機として使用時の障害発生を前記待機系交換機に通知する障害通知手段と、前記運用系交換機として使用時の障害発生が、前記障害通知手段により前記待機系交換機に通知された場合に、通話中の呼を切断する事なく、前記待機系交換機に切替え接続を行う切替手段と、を有し、
前記状態情報受信手段が、前記複数のライン回路やトランク回路毎の状態情報を受信中に、前記切替手段による切替え接続が発生した場合は、当該受信中である状態情報に係る回路に対する切替えは行わないようにしたことを特徴とする構内電話交換機システム。
【請求項２】
前記切替手段による切替えが発生した場合に、前記運用系交換機に初期設定を行い、待機系交換機とする初期設定手段とを有し、前記初期設定手段による初期設定の後、当該待機系交換機となった交換機の状態情報受信手段は、前記切替手段により切替え接続された交換機を運用系交換機とし、前記共通線インターフェース回路を介して当該運用系交換機の状態情報を受信することを特徴とする請求項１記載の構内電話交換機システム。
【発明の詳細な説明】
【０００１】
【発明の属する技術分野】
本発明は、構内電話交換機システムであり、信号リンクを介して接続される構内電話交換機において、一方を常時運用する交換機として、一方をバックアップ用交換機として用いる場合に、各々の自動又は手動方式にて切替を行う交換機切替方式に関する。
【０００２】
【従来の技術】
構内電話同士及び外線と接続する構内電話交換機システムが使用されており、運用系交換機に障害が発生すると、待機系交換機に切替えるようにすることが提案されている。従来の交換機システムでの切替方式においては、運用系交換機から待機系交換機へ切り替える場合、通話中であった呼は一旦切断されていた。そのため、運用系交換機の使用に支障をきたす障害が発生してから待機系交換機に切り替えるまでに、接続中であった呼等は一旦切断され、再度接続し直さなければならず、特に重要な連絡通話においても一旦切断する事を余儀なくされ、１１０番や１１９番、災害時の緊急連絡網において重大な課題となっていた。
【０００３】
【発明が解決しようとする課題】
本発明は、このような従来からの課題を解決するためになされたもので、運用系交換機に支障をきたす障害が発生した場合、自動的に待機系交換機に切替る事が出来、又、離れた場所からでも容易に切替が出来、そして、接続中である呼には何ら影響を与える事なく切替える事を可能とする構内電話交換機システムを提供するものである。
【０００４】
【課題を解決するための手段】
上記目的を達成するために、本発明は、運用系交換機又は待機系交換機として使用する複数の構内電話交換機を具備し、前記運用系交換機に障害が発生した場合、前記待機系交換機側に切り替える構内電話交換機システムにおいて、複数の構内電話交換機は、前記運用系交換機の複数のライン回路やトランク回路毎の状態情報を前記待機系交換機に常時送信する共通線インターフェース回路を介して接続されており、前記待機系交換機として使用時に、前記共通線インターフェース回路を介して前記運用系交換機の状態情報を受信する状態情報受信手段と、前記運用系交換機として使用時の障害発生を前記待機系交換機に通知する障害通知手段と、前記運用系交換機として使用時の障害発生が、前記障害通知手段により前記待機系交換機に通知された場合に、通話中の呼を切断する事なく、前記待機系交換機に切替え接続を行う切替手段と、を有し、前記状態情報受信手段が、前記複数のライン回路やトランク回路毎の状態情報を受信中に、前記切替手段による切替え接続が発生した場合は、当該受信中である状態情報に係る回路に対する切替えは行わないようにしたことを特徴とする構内電話交換機システムである。
【０００５】
また、本発明は、前記切替手段による切替えが発生した場合に、前記運用系交換機に初期設定を行い、待機系交換機とする初期設定手段とを有し、前記初期設定手段による初期設定の後、当該待機系交換機となった交換機の状態情報受信手段は、前記切替手段により切替え接続された交換機を運用系交換機とし、前記共通線インターフェース回路を介して当該運用系交換機の状態情報を受信することを特徴とする構内電話交換機システムである。
【００１０】
そして、本発明は、運用系交換機の呼情報を信号リンクを通して通知しておき、切替発生時に通話中の呼に何ら影響を与える事なく切り替える事を可能とするものである。
【００１１】
【発明の実施の形態】
以下、本発明の発明の実施の形態について、説明する。
本発明の構内電話交換機システムの一実施例について、図１〜図７を用いて説明する。図１は、実施例の構内電話交換機システムの構成説明図である。図２は、実施例の構内電話交換機システムにおける回線の状態管理メモリの説明図である。図３は、実施例の構内電話交換機システムにおけるハード・ソフトインターフェースの説明図である。図４は、実施例の構内電話交換機システムで運用系交換機Ａのときの接続説明図である。図５は、実施例の構内電話交換機システムで運用系交換機Ｂのときの接続説明図である。図６は、実施例における運用系交換機の切替制御のフローチャート説明図である。図７は、実施例における待機系交換機の切替制御のフローチャート説明図である。
【００１２】
実施例を説明する。本実施例の構内電話交換機システムは、図１に示すように、交換機Ａ、交換機Ｂ及び切替装置（ＢＥＣＨＵ）３を具備している。交換機Ａ、交換機Ｂは、通話路スイッチ１１、２１、中央処理装置（ＣＰＵ）１２，２２、記憶装置（ＭＥＭ）１３，２３、入出力制御装置（ＩＯＣ）１４，２４、保守パネル（ＭＰ）１５，２５、障害発生送受信装置（ＡＬＣ）１６，２６、ライン回路（ＬＩＮ）１７、２７、トランク回路（ＴＲＫ）１８，２８、共通線インターフェース回路（ＣＳＵ）１９，２９等からなる。記憶装置１３，２３には交換プログラム、制御データ等が記憶されており、中央制御装置１２、２２は、交換プログラムによって通話路スイッチ１１、２１を制御してライン回路１７，２７とトランク回路１８，２８間等の接続をする。保守パネル１５、２５は、入出力制御装置１４，２４を介してバスに接続されており、中央処理装置１２、２２と情報の交換が可能である。障害発生送受信装置１６，２６は、自己の交換機に発生した障害の情報を障害信号線４１を介して他の交換機に送信し、また、他の交換機に発生した障害の情報を障害信号線４１を介して受信する。共通線インターフェース回路１９，２９は、運用している交換機の接続情報を接続信号線４２を介して伝送する為に使用する。
【００１３】
実施例の交換機システムにおけるライン回路１７，２７やトランク回路１８、２８各々の状態を管理するメモリの一例を図２に示す。このメモリには、回路の接続相手やランプ状態等が分かる内容が記録されており、そして、運用系交換機と待機系交換機の管理メモリは常に一致していなければならない。この情報は、運用系交換機でメモリ内容に変化があった場合、共通線インターフェース回路１９、２９を介して待機系交換機に情報が伝達され、常に同一状態としている。
【００１４】
実施例の交換機システムの運用系交換機及び待機系交換機におけるハードウェア・ソフトウェアインターフェースのビットマップの一例を、図３に示す。そのインターフェース上の「ｉ」は、現在運用系か待機系かを交換機に認識させる情報である。この部分に変化があった場合、交換機は運用系⇔待機系の変化があった事を認識し切替を行う。図において、「ｊ」は、保守パネル等により切替を強制的に行う場合にソフト的に制御するポイントであり、「ｊ」を制御した場合、強制的に運用系⇔待機系の切替を行う事ができる。この時、切替装置３の制御も行う。
【００１５】
交換機Ａを運用系交換機、交換機Ｂを待機系交換機として用いた場合の接続説明図を図４に示す。交換機Ａにおいて通話状態にある場合、切替装置３は交換機ＡのＬＩＮ１７及びＴＲＫ１８側に接続される方向にあり、交換機Ａ内でパスが接続されている。この通話状態情報は、共通線インターフェース回路１９、２９を介して交換機Ｂに伝送され、メモリ２３に蓄積される。
【００１６】
交換機Ａに運用に支障をきたす障害が発生し交換機Ｂに切替が起きた場合の接続説明図を図５に示す。切替条件が発生した場合、切替装置３は、ハード的に交換機Ｂ側に接続される様に切り替えられ、インターフェースポイントに切替が発生した旨が反映される。交換機Ｂは切替を認識すると、メモリ情報からＬＩＮ２７とＴＲＫ２８の接続やランプ等の制御行う。交換機Ａでは、切替発生時に初期設定制御を行う。なお、切替は手動方式での切替えを可能とする手動切替手段を備えることもでき、保守管理者が切替が必要と判断した場合等に、保守パネル１５，２５から切替指示を容易に行うことが可能となる。
【００１７】
運用系交換機に支障が発生し切替を行った場合の待機系交換機へ切替える場合の動作シーケンスの一例について、図６を用いて説明する。
Ｓ１０ｌ）  運用系交換機がインターフェースを周期プログラムにて監視し、ポイントが運用系→待機系に切り替わるとステップＳ１０２へ進み、切替が発生しないときは、通常の交換動作を継続する。尚、周期プログラムは最も高いレベルの周期プログラムで監視しており、切替条件発生時には、即切替対応出来る様にしている。
Ｓ１０２）  切替が発生した場合、待機系交換機として運用するため、交換機内の初期設定を行い、ステップＳ１０３に進む。次回の切替は、いつ何時発生するかわからず、そして、障害が発生して待機系交換機となり、交換機として絶対安定状態であるか不明であるので、初期設定を行う必要がある。
Ｓ１０３）  運用系となった交換機に対してメモリ情報転送の要求を送信し、ステップＳ１０４に進む。初期設定を行った交換機は、運用系となった交換機よりメモリ状態の情報を取得し、次の切替発生に備えなければならないので、運用系交換機へと変わった交換機に対し、共通線インターフェース回路を介して、メモリ情報転送要求を行う。
Ｓ１０４）  メモリ情報送信開始信号の受信があるかを判断し、受信があるとステップＳ１０７に進み、受信がないとステップＳ１０５に進む。
Ｓ１０５）  メモリ情報終了信号を受信があるかを判断し、受信があるとステップＳ１０９に進み、受信がないとステップＳ１０６へ進む。
Ｓ１０６）  メモリ情報受信タイマが継続又は満了かを判断し、継続であるときはステップＳ１０４に戻り、満了であるときはステップＳ１０３に戻る。
Ｓ１０７）  メモリ情報をコピーし、ステップＳ１０８に進む。
Ｓ１０８）  メモリ情報受信の応答を送信し、ステップＳ１０４に戻る。
Ｓ１０９）  メモリコピーを終了させ、ステップＳ１１０に進む。
Ｓ１１０）  待機系交換機として稼動する。
【００１８】
次に、待機系交換機が切替により運用系交換機へ切替わる場合のシーケンスの一例について、図７を用いて説明する。
【００１９】
Ｓ２０１）  待機系交換機がインターフェースを周期プログラムにて監視しており、ポイント（図３に示す「ｉ」ビット）が待機系→運用系に切り替わると、ステップＳ２０２へ進み、切替が発生しないときは、待機系交換機として動作を継続する。尚、周期プログラムは最も高いレベルの周期プログラムで監視しており、切替条件発生時には、即切替対応出来る様にしている。
Ｓ２０２）  それまで受信していたメモリ情報によりパス接続ランプ等の制御を行う。交換機内のパッケージ等の状態が全く同じ状態である様にするための制御であり、使用者には何等影響を与えない様にすることができる。又、メモリ上不確定な状態と判断された場合（例えば信号伝送中に切替が発生した場合等）、その後の制御が正常に行えないので、その回路に対しての切替は行わず、信号伝送が終了した後に、回路の初期設定を行う。
Ｓ２０３）  全ての回路に対する切替処理が終わったかどうかの判断を行い、未終了のときはステップＳ２０２へ戻り、終了したときはステップＳ２０４へ進む。
Ｓ２０４）  初期設定を行い、待機系となった交換機に対して現在の接続情報を伝達すべく、メモリ情報送信開始電文を送信する。
Ｓ２０５）  メモリ情報要求電文を受信しているかのチェックを行い、受信しているときはステップＳ２０８へ進み、未受信のときはステップＳ２０６へ進む。
Ｓ２０６）  先にＳ２０５で送信した電文に対してのメモリ情報送信開始応答電文の受信があるかどうかのチェックを行い、未受信のときはステップＳ２０７へ進み、受信しているときは、ステップＳ２０８へ進む。
Ｓ２０７）  メモリ情報送信開始応答電文受信監視タイマの制御を行い、タイマ継続のときはステップＳ２０５へ進み、タイマ満了のときはステップＳ２０４へ戻る。
Ｓ２０８）  メモリ情報の送信を開始し、ステップＳ２０９へ進む。
Ｓ２０９）  メモリ情報受信応答電文を受信があるかどうかの処理を行う。受信したときはＳ２ｌｌへ進み、未受信のときはＳ２ｌＯへ進む。
Ｓ２ｌＯ）  メモリ情報受信応答監視タイマの制御を行う。タイマ継続のときはＳ２０９へ進み、タイマが満了であるときはステップＳ２０４へ戻る。
Ｓ２ｌｌ）  メモリ情報の転送が終了かどうかの判断をし、未終了のときはステップＳ２０８へ戻り、終了のときはステップＳ２１２へ進む。
Ｓ２１２）  運用系交換機として稼動中となる。
【００２０】
なお、保守パネル等により強制的に切替を行う場合、図３に示す「ｊ」ビットを制御する事により、１ビットに運用系又は待機系である旨の事が反映され、図６及び図７に示した切替制御と同じ処理が行われる。
【００２１】
【発明の効果】
本発明によれば、運用系交換機に支障をきたす障害が発生した場合、自動的に待機系交換機に切替る事が出来、又、離れた場所からでも容易に切替が出来、そして、接続中である呼には何ら影響を与える事なく切替える事を可能とする構内電話交換機システムを得ることができる。
【図面の簡単な説明】
【図１】実施例の構内電話交換機システムの構成説明図。
【図２】実施例の構内電話交換機システムにおける回線の状態管理メモリの説明図。
【図３】実施例の構内電話交換機システムにおけるハード・ソフトインターフェースの説明図。
【図４】実施例の構内電話交換機システムで運用系交換機Ａのときの接続説明図。
【図５】実施例の構内電話交換機システムで運用系交換機Ｂのときの接続説明図。
【図６】実施例における運用系交換機の切替制御のフローチャート説明図。
【図７】実施例における待機系交換機の切替制御のフローチャート説明図。
【符号の説明】
１、２  構内電話交換機
１１、２１  通話路スイッチ
１２、２２  中央処理装置
１３、２３  記憶装置
１４、２４  入出力制御装置
１５、２５  保守パネル
１６、２６  障害発生送受信装置
１７、２７  ライン回路
１８、２８  トランク回路
１９、２９  共通線インターフェス回路
３  切替装置
４１  障害信号線
４２  接続信号線
【図１】
0004017298.tif 000002
【図２】
0004017298.tif 000003
【図３】
0004017298.tif 000004
【図４】
0004017298.tif 000005
【図５】
0004017298.tif 000006
【図６】
0004017298.tif 000007
【図７】
0004017298.tif 000008